(57)【要約】      （修正有）【課題】板体適用のヒンジアセンブリを提供する。【解決手段】板体適用のヒンジアセンブリ３は、第１板体３０と、第１ヒンジ部材３２と、ヒンジシート３４と第２板体３６と、第２ヒンジ部材３８を備える。第１ヒンジ部材３２は、第１板体３０に固定されており、第１位置制限構造を有する。ヒンジシート３４は、第１ヒンジ部材３０に接合されており、第１凸部３４０を有する。第１凸部３４０は、第１位置制限構造の中に位置制限されて、第１板体３０が制限されてヒンジシート３４に対して垂直状態から水平状態の間で回動するようにする。ヒンジシート３４は、さらに第２凸部３４２を有する。第２凸部３４２は、第２板体３６がヒンジシート３４に対して垂直状態から水平状態の間で回動するようにする。【選択図】図２
2014098477.tif 000002
【特許請求の範囲】
【請求項１】
第１板体と、
前記第１板体に固定されており、第１位置制限構造を有する第１ヒンジ部材と、
前記第１ヒンジ部材に接合されており、第１凸部を有するヒンジシートと、
を備え、
前記第１凸部は、前記第１位置制限構造の中に位置制限されて、前記第１板体が制限されて前記ヒンジシートに対して垂直状態から水平状態の間で回動するようにする板体適用のヒンジアセンブリ。
【請求項２】
前記第１ヒンジ部材は、
前記第１板体に固定される第１固定部と、
前記第１固定部に対して折り曲がるように、前記第１固定部に接続される第１ヒンジ部と、
前記第１ヒンジ部の内面に接合される第１ピボットと、
を含む請求項１に記載の板体適用のヒンジアセンブリ。
【請求項３】
前記ヒンジシートは、
本体と、
前記本体に対して折り曲がるように、前記本体に接続される２つの第２ヒンジ部と、
を含み、
前記第１ヒンジ部は、前記第２ヒンジ部の間に並べられ、前記第１ピボットは、更に、前記第２ヒンジ部の内面に接合される請求項２に記載の板体適用のヒンジアセンブリ。
【請求項４】
前記第１位置制限構造は、前記第１ヒンジ部に位置し、
前記第１凸部は、前記本体に接続されており、前記第１位置制限構造の中に配され、
前記第１位置制限構造は、対向する第１係止縁と第２係止縁を有し、
前記第１板体が前記ヒンジシートに対して回動する間に、前記第１凸部は、制限されて前記第１係止縁と前記第２係止縁との間を移動する請求項３に記載の板体適用のヒンジアセンブリ。
【請求項５】
前記第１係止縁は、前記第１ヒンジ部の前記第１固定部に接続される一端に近接し、
前記第２係止縁は、前記第１ヒンジ部の前記第１固定部から離れる一端に近接し、
前記第１板体が前記ヒンジシートに対して回動して前記第１凸部を前記第１係止縁に当接させる場合、前記第１板体は、前記ヒンジシートに水平であり、
前記第１板体が前記ヒンジシートに対して回動して前記第１凸部を前記第２係止縁に当接させる場合、前記第１板体は、前記ヒンジシートに垂直である請求項４に記載の板体適用のヒンジアセンブリ。
【発明の詳細な説明】
【技術分野】
【０００１】
本発明は、板体適用のヒンジアセンブリに関し、特に、コンピュータシステムにおけるメモリモジュールが挿設されたアダプタボードに使用可能なヒンジアセンブリに関する。
【背景技術】
【０００２】
既存のコンピュータシステムにおいて、例えば、デュアルインラインメモリモジュール（Ｄｕａｌ  Ｉｎ−ｌｉｎｅ  Ｍｅｍｏｒｙ  Ｍｏｄｕｌｅ；ＤＩＭＭ）のようなメモリモジュールは、マザーボードのメモリスロットに直接挿設される場合が多い。しかし、サーバーにおいて、より多くのメモリモジュールを使用するために、アダプタボードによってメモリモジュールの数を拡充することがある。現在のやり方としては、何れも単一のアダプタボードに複数のメモリモジュールを挿設して、１つのメモリアセンブリにし、また、メモリアセンブリ全体としてマザーボード上のアダプタスロットに挿設する。また、アダプタボードには、アダプタボード上の各メモリモジュールのデータの読み取りと書き込みを制御するための１つの制御チップが設けられる。
【０００３】
しかしながら、現在の複数のアダプタボードがマザーボードに挿設される配列方式としては、何れも各アダプタボード上のメモリモジュールを同じ方向に向かわせてアダプタボードに緊密に配列させる。しかし、アダプタボードに設けられる制御チップは、必ずアダプタボード上の一部の空間を占拠するようになり、占拠される空間にメモリスロットを設けることができなくなるため、２つのアダプタボードの間の制御チップに対応する空間が、使わずに置かれ、効果的に利用されることができなくなる。従って、サーバーの高さと空間が制限される場合で、サーバーの限られた空間に、如何により多くのメモリモジュールを配置するかは、現在克服しようとする問題となる。
【発明の概要】
【発明が解決しようとする課題】
【０００４】
本発明は、第１板体と、第１ヒンジ部材と、ヒンジシートと、を備える板体適用のヒンジアセンブリを提供する。第１ヒンジ部材は、第１板体に固定されており、第１位置制限構造を有する。ヒンジシートは、第１ヒンジ部材に接合されており、第１凸部を有する。第１凸部は、第１位置制限構造の中に位置制限されて、第１板体が制限されてヒンジシートに対して垂直状態から水平状態の間で回動するようにする。
【課題を解決するための手段】
【０００５】
本発明の一実施形態において、上記の第１ヒンジ部材は、第１固定部と、第１ヒンジ部と、第１ピボットと、を含む。第１固定部は、第１板体に固定される。第１ヒンジ部は、第１固定部に対して折り曲がるように、第１固定部に接続される。第１ピボットは、第１ヒンジ部の内面に接合される。
【０００６】
本発明の一実施形態において、上記のヒンジシートは、本体と、２つの第２ヒンジ部と、を含む。第２ヒンジ部は、本体に対して折り曲がるように、本体に接続される。第１ヒンジ部は、第２ヒンジ部の間に並べてある。第１ピボットは、更に、第２ヒンジ部の内面に接合される。
【０００７】
本発明の一実施形態において、上記の第１位置制限構造は、第１ヒンジ部に位置する。第１凸部は、本体に接続されており、第１位置制限構造の中に配される。第１位置制限構造は、対向する第１係止縁と第２係止縁を有する。第１板体がヒンジシートに対して回動する間に、第１凸部は、制限されて第１係止縁と第２係止縁との間を移動する。
【０００８】
本発明の一実施形態において、上記の第１係止縁は、第１ヒンジ部の第１固定部に接続される一端に近接する。第２係止縁は、第１ヒンジ部の第１固定部から離れる一端に近接する。第１板体がヒンジシートに対して回動して第１凸部を第１係止縁に当接させる場合、第１板体は、ヒンジシートに水平である。第１板体がヒンジシートに対して回動して第１凸部を第２係止縁に当接させる場合、第１板体は、ヒンジシートに垂直である。
【０００９】
本発明の一実施形態において、上記のヒンジシートは、更に第２凸部を有する。第１凸部と第２凸部は、それぞれヒンジシートの両端に位置する。板体適用のヒンジアセンブリは、第２板体と、第２ヒンジ部材と、を更に備える。第２ヒンジ部材は、第２板体に固定されており、第２位置制限構造を有する。第１ヒンジ部材と第２ヒンジ部材は、それぞれヒンジシートの両端に接合される。第２凸部は、第２位置制限構造の中に位置制限されて、第２板体が制限されてヒンジシートに対して垂直状態から水平状態の間で回動するようにする。第１板体と第２板体の何れもヒンジシートに垂直である場合、第１板体と第２板体は、互いに面する。
【００１０】
本発明の一実施形態において、上記の第２ヒンジ部材は、第２固定部と、第３ヒンジ部と、第２ピボットと、を含む。第２固定部は、第２板体に固定される。第３ヒンジ部は、第２固定部に対して折り曲がるように、第２固定部に接続される。第２ピボットは、第３ヒンジ部の内面に接合される。
【００１１】
本発明の一実施形態において、上記のヒンジシートは、本体と、２つの第４ヒンジ部と、を含む。第４ヒンジ部は、本体に対して折り曲がるように、本体に接続される。第３ヒンジ部は、第４ヒンジ部の間に並べられる。第２ピボットは、更に、第４ヒンジ部の内面に接合される。
【００１２】
本発明の一実施形態において、上記の第２位置制限構造は、第３ヒンジ部に位置する。第２凸部は、本体に接続されており、第２位置制限構造の中に配される。第２位置制限構造は、対向する第３係止縁と第４係止縁を有する。第２板体がヒンジシートに対して回動する間に、第２凸部は、制限されて第３係止縁と第４係止縁との間を移動する。
【００１３】
本発明の一実施形態において、上記の第３係止縁は、第２ヒンジ部の第２固定部に接続される一端に近接する。第４係止縁は、第２ヒンジ部の第２固定部から離れる一端に近接する。第２板体がヒンジシートに対して回動して第２凸部を第３係止縁に当接させる場合、第２板体は、ヒンジシートに水平である。第２板体がヒンジシートに対して回動して第２凸部を第４係止縁に当接させる場合、第２板体は、ヒンジシートに垂直である。
【発明の効果】
【００１４】
以上をまとめると、本発明の板体適用のヒンジアセンブリの主な特徴は、その２つの板体がそれぞれ２つのヒンジ部材によってヒンジシートと接合することで、２つの板体が本のように互いに広げたり閉じたりすることができるようになることにある。本発明の板体適用のヒンジアセンブリの内面の主な特徴としては、２つのヒンジ部材に、それぞれ位置制限構造を有することにある。前記位置制限構造は、ヒンジシートに対応して設けられる凸部に対して位置制限を行って、更に２つの板体が対向して閉じる際に２つのアダプタボードの間の距離の維持を可能にすることで、２つの板体が互いにぶつからないようにすることに用いられる。
【図面の簡単な説明】
【００１５】
【図１】本発明の一実施形態による板体適用のヒンジアセンブリを示す斜視図である。
【図２】本発明の別の実施形態による板体適用のヒンジアセンブリを示す斜視図である。
【図３】本発明の一実施形態によるコンピュータシステムを示す斜視図である。
【図４】本発明の一実施形態によるメモリアセンブリを示す展開図である。
【図５Ａ】閉じた後でコンピュータシステム内のマザーボードに挿設される前の図４に示したメモリアセンブリを示す斜視図である。
【図５Ｂ】マザーボードに挿設された後の図５Ａに示したメモリアセンブリを示す斜視図である。
【図６】図５Ａに示したメモリアセンブリを示す部分分解図である。
【図７】図５Ａに示したメモリアセンブリを示す別の部分分解図である。
【発明を実施するための形態】
【００１６】
以下、図面で本発明の複数の実施形態を開示し、明確に説明するために、数多くの実務上の細部を下記叙述で合わせて説明する。しかしながら、理解すべきなのは、これらの実務上の細部が、本発明を制限するためのものではない。つまり、本発明の実施形態の一部において、これらの実務上の細部は、必要としない。また、図面を簡略化するために、ある従来慣用の構造及び素子は、図面において簡単で模式的に示される。
【００１７】
本発明の一実施形態による板体適用のヒンジアセンブリ１を示す斜視図である図１を参照する。
【００１８】
図１に示すように、本実施形態において、板体適用のヒンジアセンブリ１は、板体１０と、ヒンジ部材１２と、ヒンジシート１４と、を備える。ヒンジ部材１２は、板体１０に固定されており、位置制限構造１２０を有する。ヒンジシート１４は、ヒンジ部材１２に接合されており、凸部１４０を有する。凸部１４０は、位置制限構造１２０に位置制限されて、板体１０が制限されてヒンジシート１４に対して垂直状態から水平状態の間で回動するようにする。
【００１９】
本発明の別の実施形態による板体適用のヒンジアセンブリ３を示す斜視図である図２を参照する。
【００２０】
図２に示すように、本実施形態において、板体適用のヒンジアセンブリ３は、第１板体３０と、第１ヒンジ部材３２と、ヒンジシート３４と、第２板体３６と、第２ヒンジ部材３８と、を備える。第１ヒンジ部材３２は、第１板体３０に固定されており、第１位置制限構造３２０を有する。ヒンジシート３４は、第１ヒンジ部材３２に接合されており、第１凸部３４０を有する。第１凸部３４０は、第１位置制限構造３２０に位置制限されて、第１板体３０が制限されてヒンジシート３４対して垂直状態から水平状態の間で回動するようにする。
【００２１】
また、ヒンジシート３４は、第２凸部３４２を更に有する。第１凸部３４０と第２凸部３４２は、それぞれヒンジシート３４の両端に位置する。第２ヒンジ部材３８は、第２板体３６に固定されており、第２位置制限構造３８０を有する。第１ヒンジ部材３２と第２ヒンジ部材３８は、それぞれヒンジシート３４の両端に接合される。第２凸部３４２は、第２位置制限構造３８０に位置制限されて、第２板体３６が制限されてヒンジシート３４に対して垂直状態から水平状態の間で回動するようにする。また、第１板体３０と第２板体３６の何れもヒンジシート３４に垂直である場合、第１板体３０と第２板体３６は、互いに面する。
【００２２】
ここで説明すべきなのは、図１に示した板体１０、ヒンジ部材１２及びヒンジシート１４の細部構造と操作方式、及び図２に示した第１板体３０、第１ヒンジ部材３２、ヒンジシート３４、第２板体３６及び第２ヒンジ部材３８の細部構造及び操作方式については、下文で図３〜図７に示すメモリアセンブリに関わる実施形態により、はっきりと分かれる。
【００２３】
本発明の一実施形態によるコンピュータシステム５を示す斜視図である図３を参照されたい。
【００２４】
図３において、本実施形態のコンピュータシステム５は、サーバーを例にするが、本発明は、これに限定されない。如何なるコンピュータシステム５に対しても、その内部のマザーボードに多くのメモリモジュールを挿設する需要がある限り、何れも本発明のメモリアセンブリの概念を適用して、コンピュータシステム５のケース５０の内部の空間使用率を効果的に向上させることができる。
【００２５】
図４、図５Ａ、図５Ｂを参照されたい。図４は、本発明の一実施形態によるメモリアセンブリを示す展開図である。図５Ａは、閉じた後でコンピュータシステム５におけるマザーボード５２に挿設される前の図４に示したメモリアセンブリを示す斜視図である。図５Ｂは、ザーボード５２に挿設された後の図５Ａに示したメモリアセンブリを示す斜視図である。
【００２６】
図４に示すように、本実施形態において、メモリアセンブリは、第１アダプタボード５４と、第１ヒンジ部材６０と、第２アダプタボード５６と、第２ヒンジ部材６２と、ヒンジシート５８と、を備える。第１ヒンジ部材６０は、第１アダプタボード５４に固定される。第２ヒンジ部材６２は、第２アダプタボード５６に固定される。ヒンジシート５８の両端は、それぞれ第１ヒンジ部材６０と第２ヒンジ部材６２に接合される。
【００２７】
注意すべきなのは、本実施形態において、第１アダプタボード５４は、図１に示した板体１０及び図２に示した第１板体３０に対応するが、第２アダプタボード５６は、図１に示した板体１０及び図２に示した第２板体３６に対応する。
【００２８】
メモリアセンブリの第１アダプタボード５４は、複数の第１メモリスロット５４０を含む。第２アダプタボード５６は、複数の第２メモリスロット５６０を含む。第１アダプタボード５４上の第１メモリスロット５４０と第２アダプタボード５６上の第２メモリスロット５６０の何れも、メモリモジュール２４の挿設に供することに用いられる。例としては、メモリモジュール２４は、デュアルインラインメモリモジュール（Ｄｕａｌ  Ｉｎ−ｌｉｎｅ  Ｍｅｍｏｒｙ  Ｍｏｄｕｌｅ；ＤＩＭＭ）であってよいが、本発明は、これに限定されない。
【００２９】
また、第１ヒンジ部材６０は、第１位置制限構造を有するが、第２ヒンジ部材６２は、第２位置制限構造を有する。ヒンジシート５８は、第１凸部５８４及び第２凸部５８８を有する。第１凸部５８４と第２凸部５８８は、それぞれヒンジシート５８の両端に位置する。ヒンジシート５８の第１凸部５８４は、第１位置制限構造の中に位置制限されて、第１アダプタボード５４が制限されてヒンジシート５８に対して回動してヒンジシート５８に選択的に垂直又は水平となるようにする。ヒンジシート５８の第２凸部５８８は、第２位置制限構造の中に位置制限されて、第２アダプタボード５６が制限されてヒンジシート５８に対して回動してヒンジシート５８に選択的に垂直又は水平となるようにする。
【００３０】
これにより、第１アダプタボード５４と第２アダプタボード５６がヒンジシート５８に対して回動してヒンジシート５８に垂直となる場合、本発明は、第１アダプタボード５４上の第１メモリスロット５４０を第２アダプタボード５６に向かわせ、第２アダプタボード５６上の第２メモリスロット５６０を第１アダプタボード５４に向かわせることができる（即ち、閉じた本のような外観）。
【００３１】
第１アダプタボード５４と第２アダプタボード５６が上記ヒンジシート５８に垂直又は水平となる操作を達成するために、本文は、以下、第１ヒンジ部材６０、第２ヒンジ部材６２及びヒンジシート５８の細部結構について、より詳しく紹介する。
【００３２】
図５Ａに示したメモリアセンブリを示す部分分解図である図６を参照されたい。
【００３３】
図６に示すように、本実施形態において、第１ヒンジ部材６０は、第１固定部６００と、第１ヒンジ部６０２と、第１ピボット６０４と、を含む。第１ヒンジ部材６０の第１固定部６００は、第１アダプタボード５４に固定される。第１ヒンジ部材６０の第１ヒンジ部６０２は、第１固定部６００に対して折り曲がるように、第１固定部６００に接続される。第１ヒンジ部材６０の第１ピボット６０４は、第１ヒンジ部６０２の内面に接合される。
【００３４】
一方、ヒンジシート５８は、本体５８０と、２つの第２ヒンジ部５８２と、を含む。ヒンジシート５８の第２ヒンジ部５８２は、本体５８０に対して折り曲がるように、本体５８０に接続される。第１ピボット６０４は、更に、第２ヒンジ部５８２の内面に接合される。つまり、第１ヒンジ部材６０の第１ヒンジ部６０２とヒンジシート５８の２つの第２ヒンジ部５８２の何れも、第１ピボット６０４に接合されて、更に、第１アダプタボード５４がヒンジシート５８と互いに回動することをできるようにする。
【００３５】
また、本実施形態において、第１ヒンジ部材６０の第１ヒンジ部６０２は、ヒンジシート５８の２つの第２ヒンジ部５８２の間に並べられる。この構造の設置によって、第１ヒンジ部６０２が第１ピボット６０４の軸方向に沿って２つの第２ヒンジ部５８２から離れるのを避けることができる。
【００３６】
同様に図６に示し、本実施形態において、第１ヒンジ部材６０の第１位置制限構造６０６は、スロットである。第１位置制限構造６０６は、第１ヒンジ部６０２に位置する。ヒンジシート５８の第１凸部５８４は、本体５８０に接続され、２つの第２ヒンジ部５８２の間に位置しており、第１位置制限構造６０６の中に配される。第１位置制限構造６０６は、対向する第１係止縁６０６ａと第２係止縁６０６ｂを有する。第１アダプタボード５４がヒンジシート５８に対して回動する間（即ち、第１ヒンジ部６０２と２つの第２ヒンジ部５８２が第１ピボット６０４に対して回動する間）に、第１凸部５８４は、制限されて第１係止縁６０６ａと第２係止縁６０６ｂとの間を移動する。
【００３７】
更には、第１位置制限構造６０６の第１係止縁６０６ａは、第１ヒンジ部６０２の第１固定部６００に接続される一端に近接する。第１位置制限構造６０６の第２係止縁６０６ｂは、第１ヒンジ部６０２の第１固定部６００から離れる一端に近接する。第１アダプタボード５４がヒンジシート５８に対して回動して第１凸部５８４を第１係止縁６０６ａに当接させる場合、第１アダプタボード５４は、ヒンジシート５８に水平である。第１アダプタボード５４がヒンジシート５８に対して回動して第１凸部５８４を第２係止縁６０６ｂに当接させる場合、第１アダプタボード５４は、ヒンジシート５８に垂直である。
【００３８】
しかしながら、本発明の第１位置制限構造は、スロットの形式に限定されない。別の実施形態において、第１位置制限構造は、第１ヒンジ部６０２の側辺に形成される凹溝（未図示）であってもよいが、第１凸部５８４は、対応して第２ヒンジ部５８２の側辺に設けられて、上記凹溝の中に配されることで、同様に、第１アダプタボード５４が制限されてヒンジシート５８に対して回動する目的を達成することができる。
【００３９】
図５Ａに示したメモリアセンブリを示す別の部分分解図である図７を参照する。
【００４０】
図７に示すように、本実施形態において、第２ヒンジ部材６２は、第２固定部６２０と、第３ヒンジ部６２２と、第２ピボット６２４と、を含む。第２ヒンジ部材６２の第２固定部６２０は、第２アダプタボード５６に固定される。第２ヒンジ部材６２の第３ヒンジ部６２２は、第２固定部６２０に対して折り曲がるように、第２固定部６２０に接続される。第２ヒンジ部材６２の第２ピボット６２４は、第３ヒンジ部６２２の内面に接合される。
【００４１】
一方、ヒンジシート５８は、２つの第４ヒンジ部５８６を更に含む。ヒンジシート５８の第４ヒンジ部５８６は、本体５８０に対して折り曲がるように、本体５８０に接続される。第２ピボット６２４は、更に、第４ヒンジ部５８６の内面に接合される。つまり、第２ヒンジ部材６２の第３ヒンジ部６２２とヒンジシート５８の２つの第４ヒンジ部５８６の何れも、第２ピボット６２４に接合されて、更に、第２アダプタボード５６がヒンジシート５８と互いに回動することができるようにする。
【００４２】
また、本実施形態において、第２ヒンジ部材６２の第３ヒンジ部６２２は、ヒンジシート５８の２つの第４ヒンジ部５８６の間に並べられる。この構造設置によって、第３ヒンジ部６２２が第２ピボット６２４の軸方向に沿って２つの第４ヒンジ部５８６から離れないようにすることができる。
【００４３】
本実施形態において、第１ピボット６０４がヒンジ部材の第２ヒンジ部５８２に接合され、且つ第２ピボット６２４がヒンジ部材の第４ヒンジ部５８６に接合される場合、第１ピボット６０４の軸方向と第２ピボット６２４の軸方向は、互いに平行である。これにより、第１アダプタボード５４と第２アダプタボード５６をヒンジシート５８に対して回動させて、広げたり閉じたりする本のような外観にすることができる。
【００４４】
同様に図７に示し、本実施形態において、第２ヒンジ部材６２の第２位置制限構造６２６は、同様にスロットであり、第３ヒンジ部６２２に位置する。ヒンジシート５８の第２凸部５８８は、本体５８０に接続されており、２つの第４ヒンジ部５８６の間に位置し、第２位置制限構造６２６の中に配される。第２位置制限構造６２６は、対向する第３係止縁６２６ａと第４係止縁６２６ｂを有する。第２アダプタボード５６がヒンジシート５８に対して回動する間（即ち、第３ヒンジ部６２２と２つの第４ヒンジ部５８６が第２ピボット６２４に対して回動する間）に、第２凸部５８８は、制限されて第３係止縁６２６ａと第４係止縁６２６ｂとの間を移動する。
【００４５】
更には、第２位置制限構造６２６の第３係止縁６２６ａは、第３ヒンジ部６２２の第２固定部６２０に接続される一端に近接する。第２位置制限構造６２６の第４係止縁６２６ｂは、第３ヒンジ部６２２の第２固定部６２０から離れる一端に近接する。第２アダプタボード５６がヒンジシート５８に対して回動して第２凸部５８８を第３係止縁６２６ａに当接させる場合、第２アダプタボード５６は、ヒンジシート５８に水平である。第２アダプタボード５６がヒンジシート５８に対して回動して第２凸部５８８を第４係止縁６２６ｂに当接させる場合、第２アダプタボード５６は、ヒンジシート５８に垂直である。
【００４６】
以上をまとめると、第１凸部５８４が第１係止縁６０６ａに当接し且つ第２凸部５８８が第３係止縁６２６ａに当接する場合、第１アダプタボード５４と第２アダプタボード５６は、ヒンジシート５８に水平であり、広げた本のような外観となる。第１凸部５８４が第２係止縁６０６ｂに当接し且つ第２凸部５８８が第４係止縁６２６ｂに当接する場合、第１アダプタボード５４と第２アダプタボード５６は、ヒンジシート５８に垂直であり、閉じた本のような外観となる。
【００４７】
また、図４に示すように、第１アダプタボード５４は、第１制御チップ５４４をも含む。第１アダプタボード５４の第１制御チップ５４４は、第１メモリスロット５４０に電気的に接続されることで、第１メモリスロット５４０に挿設されたメモリモジュール２４とマザーボード５２とのデータ交換を把握し処理する。第２アダプタボード５６は、第２制御チップ５６４を更に含む。第２アダプタボード５６の第２制御チップ５６４は、第２メモリスロット５６０に電気的に接続されることで、第２メモリスロット５６０に挿設されるメモリモジュール２４とマザーボード５２とのデータ交換を把握し処理する。
【００４８】
第１アダプタボード５４上の第１メモリスロット５４０は、緊密に配列される。第２アダプタボード５６上の第２メモリスロット５６０は、緊密に配列される。また、第１アダプタボード５４と第２アダプタボード５６がヒンジシート５８に垂直である場合、第１メモリスロット５４０の所在の領域は、第２制御チップ５６４の所在の領域と位置を合わせるが、第２メモリスロット５６４の所在の領域は、第１制御チップ５４４の所在の領域と位置を合わせる。
【００４９】
従って、本発明は、第１アダプタボード５４とヒンジシート５８との互いに合わせたヒンジ構造、及び第２アダプタボード５６とヒンジシート５８との互いに合わせたヒンジ構造によって、第１アダプタボード５４と第２アダプタボード５６が対向して閉じる際にそれら同士の間の距離を維持できるようにすることができ、更に、第１アダプタボード５４に挿設されるメモリモジュール２４が第２アダプタボード５６上の第２制御チップ５６４にぶつからないようにするとともに、第２アダプタボード５６に挿設されるメモリモジュール２４が第１アダプタボード５４上の第１制御チップ５４４にぶつからないようにすることができる。
【００５０】
しかしながら、本発明の第２位置制限構造は、スロットの形式に限定されない。別の実施形態において、第２位置制限構造は、第３ヒンジ部６２２の側辺に形成される凹溝（未図示）であってもよく、第２凸部５８８は、対応して第４ヒンジ部５８６の側辺に設けられ、上記凹溝の中に配されることで、同様に、第２アダプタボード５６が制限されてヒンジシート５８に対して回動する目的を達成することができる。
【００５１】
図５Ａ及び図５Ｂに示すように、本実施形態において、コンピュータシステム５のマザーボード５２は、ケース５０の中に設けられる。マザーボード５２は、少なくとも並んで設けられる第１アダプタスロット５２０と第２アダプタスロット５２２を備える。即ち、本実施形態において、マザーボード５２の第１アダプタスロット５２０と第２アダプタスロット５２２は、互いに平行で、互いに隣接している。
【００５２】
しかしながら、マザーボード５２に一組の第１アダプタスロット５２０と第２アダプタスロット５２２のみを備えなくてもよい。実際の適用において、マザーボード５２に備えられる第１アダプタスロット５２０と第２アダプタスロット５２２の組数は、実際の需要に応じて柔軟的に増減することができる。
【００５３】
また、図４〜図５Ｂに示すように、本実施形態において、メモリアセンブリの第１アダプタボード５４は、第１アダプタボード５４の第１縁Ｅ１に位置する第１接続ポート５４２を有する。第１アダプタボード５４の第１接続ポート５４２は、マザーボード５２の第１アダプタスロット５２０に挿接されることに用いられる。メモリアセンブリの第２アダプタボード５６は、第２アダプタボード５６の第２縁Ｅ２に位置する第２接続ポート５６２を有する。第２アダプタボード５６の第２接続ポート５６２は、マザーボード５２の第２アダプタスロット５２２に挿接されることに用いられる。
【００５４】
本実施形態において、第１ヒンジ部材６０は、第１アダプタボード５４の第１縁Ｅ１に近接する所に固定されるが、第２ヒンジ部材６２は、第２アダプタボード５６の第２縁Ｅ２に近接する所に固定される。第１アダプタボード５４の第１縁Ｅ１は、第１ピボット６０４の軸方向に平行であるが、第２アダプタボード５６の第２縁Ｅ２は、第２ピボット６２４の軸方向に平行である。第１アダプタボード５４と第２アダプタボード５６がヒンジシート５８に対して回動してヒンジシート５８に水平である場合、第１接続ポート５４２は、第２接続ポート５６２の真正面に位置する。つまり、第１アダプタボード５４と第２アダプタボード５６がヒンジシート５８に対して回動してヒンジシート５８に水平である場合、ヒンジシート５８、第１接続ポート５４２及び第２接続ポート５６２の三者の何れも、第１アダプタボード５４と第２アダプタボード５６との間（即ち、第１縁Ｅ１と第２縁Ｅ２との間）に位置する。
【００５５】
しかしながら、本発明は、これに限定されない。別の実施形態において、第１アダプタボード５４の第１接続ポート５４２は、第１アダプタボード５４の第１縁Ｅ１から離れ且つ第１縁Ｅ１に平行な第３縁Ｅ３に位置するが、第２アダプタボード５６の第２接続ポート５６２は、第２ピンボード５６の第２縁Ｅ２から離れ且つ第２縁Ｅ２に平行な第４縁Ｅ４に位置する。つまり、第１アダプタボード５４と第２アダプタボード５６がヒンジシート５８に対して回動してヒンジシート５８に垂直である場合、ヒンジシート５８は、第１アダプタボード５４と第２アダプタボード５６の同じ側（即ち、第１縁Ｅ１と第２縁Ｅ２の側）に位置するが、第１接続ポート５４２と第２接続ポート５６２は、第１アダプタボード５４と第２アダプタボード５６の他の側（即ち、第３縁Ｅ３と第４縁Ｅ４の側）に位置する。
【００５６】
さらに１つの実施形態において、第１アダプタボード５４の第１接続ポート５４２は、第１アダプタボード５４の第１縁Ｅ１に垂直な第５縁Ｅ５に位置するが、第２アダプタボード５６の第２接続ポート５６２は、第２アダプタボード５６の第２縁Ｅ２に垂直な第６縁Ｅ６（例えば、図４に示した第１アダプタボード５４及び第２アダプタボード５６の上縁）に位置する。つまり、第１アダプタボード５４と第２アダプタボード５６がヒンジシート５８に対して回動してヒンジシート５８に垂直である場合、ヒンジシート５８は、第１アダプタボード５４と第２アダプタボード５６の同じ側（即ち、第１縁Ｅ１と第２縁Ｅ２の側）に位置するが、第１接続ポート５４２と第２接続ポート５６２は、第１アダプタボード５４と第２アダプタボード５６の他の側（即ち、第５縁Ｅ５と第６縁Ｅ６の側）に位置する。
【００５７】
又は、さらに１つの実施形態において、第１アダプタボード５４の第１接続ポート５４２は、第１アダプタボード５４の第１縁Ｅ１に垂直な第７縁Ｅ７に位置するが、第２アダプタボード５６の第２接続ポート５６２は、第２アダプタボード５６の第２縁Ｅ２に垂直な第８縁Ｅ８（例えば、図４に示した第１アダプタボード５４及び第２アダプタボード５６の下縁）に位置する。つまり、第１アダプタボード５４と第２アダプタボード５６がヒンジシート５８に対して回動してヒンジシート５８に垂直である場合、ヒンジシート５８は、第１アダプタボード５４と第２アダプタボード５６の同じ側（即ち、第１縁Ｅ１と第２縁Ｅ２の側）に位置するが、第１接続ポート５４２及び第２接続ポート５６２は、第１アダプタボード５４と第２アダプタボード５６の他の側（即ち、第７縁Ｅ７と第８縁Ｅ８の側）に位置する。
【００５８】
以上をまとめると、第１アダプタボード５４と第２アダプタボード５６がヒンジシート５８に対して回動してヒンジシート５８に垂直である場合、第１接続ポート５４２と第２接続ポート５６２が第１アダプタボード５４と第２アダプタボード５６の同じ側に位置する限り、それぞれマザーボード５２の第１アダプタスロット５２０と第２アダプタスロット５２２に挿接される目的を達成することができる。
【００５９】
また、ここで説明すべきなのは、コンピュータシステム５の限られた空間により多くのメモリモジュール２４を配置するために、本発明は、第１アダプタボード５４上の第１メモリスロット５４０と第２アダプタボード５６上の第２メモリスロット５６０を互いにずらせる。
【００６０】
図４に示すように、本実施形態において、第１アダプタボード５４上の第１メモリスロット５４０は、メモリスロット群に緊密に配列されるが、第２アダプタボード５６上の第２メモリスロット５６０は、別のメモリスロット群に緊密に配列される。これにより、第１アダプタボード５４と第２アダプタボード５６がヒンジシート５８に対して回動してヒンジシート５８に垂直となる過程中、第１アダプタボード５４上の第１メモリスロット５４０及び第２アダプタボード５６上の第２メモリスロット５６０は、それぞれ群の配列形式で、互いにずらせる目的を達成することができ、第１アダプタボード５４と第２アダプタボード５６との間の空間を効果的に利用する効果を達成することができる。
【００６１】
上記本発明の具体的な実施形態についての詳細な叙述から、はっきり見て取れるように、本発明の板体適用のヒンジアセンブリの主な特徴は、その２つの板体がそれぞれ２つのヒンジ部材によってヒンジシートと接合することで、２つの板体を本のように互いに広げたり閉じたりすることができるようにすることにある。その別の主な特徴は、２つのヒンジ部材に、それぞれ位置制限構造を有することにある。前記位置制限構造は、ヒンジシートに対応して設けられる凸部に対して位置制限を行って、更に２つの板体が対向して閉じる際に２つの板体の間の距離の維持を可能にすることで、２つの板体が互いにぶつからないようにすることに用いられる。
【００６２】
本発明では、実施形態を前述の通りに開示したが、これは本発明を限定するものではなく、当業者なら誰でも、本発明の精神と領域から逸脱しない限り、多様の変更や修正を加えることができる。従って、本発明の保護範囲は、後の特許請求の範囲で指定した内容を基準とする。
【符号の説明】
【００６３】
１、３  板体適用のヒンジアセンブリ
５  コンピュータシステム
１０  板体
１２  ヒンジ部材
１４  ヒンジシート
３０  第１板体
３２  第１ヒンジ部材
３４  ヒンジシート
３６  第２板体
３８  第２ヒンジ部材
５０  ケース
５２  マザーボード
５４  第１アダプタボード
５６  第２アダプタボード
５８  ヒンジシート
６０  第１ヒンジ部材
６２  第２ヒンジ部材
１２０  位置制限構造
１４０  凸部
３２０  第１位置制限構造
３４０  第１凸部
３４２  第２凸部
３８０  第２位置制限構造
５２０  第１アダプタスロット
５２２  第２アダプタスロット
５４０  第１メモリスロット
５４２  第１接続ポート
５４４  第１制御チップ
５６０  第２メモリスロット
５６２  第２接続ポート
５６４  第２制御チップ
５８０  本体
５８２  第２ヒンジ部
５８４  第１凸部
５８６  第４ヒンジ部
５８８  第２凸部
６００  第１固定部
６０２  第１ヒンジ部
６０４  第１ピボット
６０６  第１位置制限構造
６０６ａ  第１係止縁
６０６ｂ  第２係止縁
６２０  第２固定部
６２２  第３ヒンジ部
６２４  第２ピボット
６２６  第２位置制限構造
６２６ａ  第３係止縁
６２６ｂ  第４係止縁
Ｅ１  第１縁
Ｅ２  第２縁
Ｅ３  第３縁
Ｅ４  第４縁
Ｅ５  第５縁
Ｅ６  第６縁
Ｅ７  第７縁
Ｅ８  第８縁
【図１】
2014098477.tif 000003
【図２】
2014098477.tif 000004
【図３】
2014098477.tif 000005
【図４】
2014098477.tif 000006
【図５Ａ】
2014098477.tif 000007
【図５Ｂ】
2014098477.tif 000008
【図６】
2014098477.tif 000009
【図７】
2014098477.tif 000010